(57)【要約】【課題】取り付けが容易な、リングバインダーの固定システムを提供する。【解決手段】固定システムは、第１構造部材と係合可能な管状の取り付けポストを具備している。取り付けポストは、開口した第１端部と、第２端部と、その間で延びており、内側チャンネルを構成する側壁と、を有している。リテーナは、取り付けポストに対する動作に抗して内側チャンネル内に保持されており、取り付けポストの第１端部で、取り付けポストの内側チャンネルよりも小さい大きさの中心開口を有している。固定部は、第２構造部材と係合可能であり、リテーナの中心開口に軸を挿入する際に、リテーナが、取り付けポストに固定部を固定し、その結果、第２構造部材を第１構造部材に固定するように、少なくともその第１端部で、取り付けポストの内側チャンネルより小さく、且つリテーナの中心開口より大きい、断面の大きさの軸を有している。【選択図】図２
2007253624.tif 000002
【特許請求の範囲】
【請求項１】
第１構造部材と第２構造部材とを共に固定するための固定システムであって、
前記固定システムが、
第１構造部材と係合可能な、管状の取り付けポストと、
取り付けポストに対する動作に抗して取り付けポストの内側チャンネル内に保持された、リテーナと、
第２構造部材と係合可能な固定部と、を備えており、
取り付けポストが、第１端部と、第２端部と、第１端部と第２端部との間で延びており、且つ、前記取り付けポストの第１端部から第２端部へ延びている取り付けポストの内側チャンネルを構成している、側壁と、を有しており、
少なくとも、取り付けポストの第１端部が開かれており、
リテーナが、取り付けポストの第１端部に、取り付けポストの内側チャンネルより小さい大きさの中心開口を有しており、
取り付けポストの内側チャンネルの中にリテーナの中心開口を通して軸を挿入する際に、リテーナが、取り付けポストに固定部を固定し、その結果、第２構造部材を第１構造部材に固定するように、固定部が、少なくともその第１端部で、取り付けポストの内側チャンネルより小さく、且つリテーナの中心開口より大きい、断面の大きさの軸を有していることを特徴とする固定システム。
【請求項２】
取り付けポストが、その第１端部と第２構造部材とを係合するように構成されており、
前記取り付けポストが、両構造部材を共に固定する際に、第１構造部材が、第２構造部材と間隔を開けた関係で取り付けポストによって保持されるように、取り付けポストの第１端部と間隔を開けた関係で、第１構造部材と確実に係合するように、更に構成されている、請求項１記載の固定システム。
【請求項３】
リテーナが、取り付けポストの第１端部に近接して配置されている、請求項１記載の固定システム。
【請求項４】
取り付けポストが、取り付けポストに対する動作に抗してリテーナを保持するための、曲がった外側縁部を、第１端部に具備している、請求項４記載の固定システム。
【請求項５】
取り付けポストの第２端部が、取り付けポストを第１構造部材に固定するためのリップを、具備している、請求項３記載の固定システム。
【請求項６】
リテーナが、リテーナの中心開口を構成するために、内側チャンネルの内側に横に延びている複数のタブを、備えている、請求項１記載の固定システム。
【請求項７】
タブが、取り付けポストの第１端部及び第２端部の一方の方へ、部分的に縦方向に延びるように、取り付けポストの側壁に対して角度をなしている、請求項６記載の固定システム。
【請求項８】
リテーナが、５つの相隔たるタブを備えている、請求項７記載の固定システム。
【請求項９】
リテーナのタブが、弾性変形可能である、請求項７記載の固定システム。
【請求項１０】
リテーナのタブが、固定部がリテーナの中心開口を通って受け取られたときに、取り付けポストの第２端部の方へ、縦方向に変形する、請求項９記載の固定システム。
【請求項１１】
固定部の軸が、リテーナの中心開口を通る軸の挿入を容易にするために、テーパー状の自由端を具備している、請求項１記載の固定システム。
【請求項１２】
第１構造部材がリングバインダー機構であり、第２構造部材がバインダーカバーである、請求項１記載の固定システム。
【請求項１３】
第１構造部材と第２構造部材とを共に固定するための固定システムであって、
前記固定システムが、
第１構造部材と係合可能な管状の取り付け構造部と、
リテーナに対する動作に抗して、取り付け構造部の足によって、内側チャンネル内に保持されたリテーナと、
第２構造部材と係合可能な固定部と、を備えており、
管状の取り付け構造部が、第１端部と、第２端部と、第１端部と第２端部との間で延びており、且つ、前記取り付け構造部の、第１端部から第２端部へ延びている取り付け構造部の内側チャンネルを構成している側壁と、を有しており、
取り付け構造部の第１端部が、そこに開口を有する足を備えており、
固定部が、固定部を取り付け構造部に固定するためのリテーナと係合可能な軸を、有しており、その結果、第２構造部材を第１構造部材に固定していることを特徴とする固定システム。
【請求項１４】
リテーナが、取り付け構造部の第１端部に、取り付け構造部の内側よりも小さい大きさの中心開口を有しており、
取り付け構造部の内側チャンネルの中にリテーナの中心開口を通して軸を挿入する際に、前記リテーナが、取り付け構造部に固定部を固定し、その結果、第２構造部材を第１構造部材に固定するように、固定部の軸が、取り付け構造部の内側チャンネルより小さく、リテーナの中心開口より大きい、断面の大きさを有している、請求項１３記載の固定システム。
【請求項１５】
取り付け構造部が、その第１端部と第２構造部材とを係合するように構成されており、
前記取り付け構造部が、両構造部材を共に固定する際に、第１構造部材が、第２構造部材と間隔を開けた状態で、取り付け構造部によって保持されるように、取り付け構造部の第１端部と間隔を開けた状態で、第１構造部材と確実に係合するように構成されている、請求項１３記載の固定システム。
【請求項１６】
取り付け構造部が、取り付けポストを備えている、請求項１３記載の固定システム。
【請求項１７】
取り付けポストの足が、リテーナを保持するための曲がった外側縁部を、具備している、請求項１６記載の固定システム。
【請求項１８】
取り付け構造部の第２端部が、取り付け構造部を第１構造部材に固定するための、リップを、具備している、請求項１３記載の固定システム。
【請求項１９】
リテーナが、リテーナの中心開口を構成するために、内側チャンネルの内側に横に延びている複数のタブを、備えており、
タブが、取り付けポストの第１端部及び第２端部の一方の方へ、部分的に縦方向に延びるように、取り付けポストの側壁に対して角度をなしている、請求項１３記載の固定システム。
【請求項２０】
第１構造部材が、リングバインダー機構であり、第２構造部材がバインダーカバーである、請求項１３記載の固定システム。
【請求項２１】
取り付け構造部が、バレルブッシングである、請求項２０記載の固定システム。
【発明の詳細な説明】
【技術分野】
【０００１】
本発明は、固定システムに関するものであり、特に、取り付けポストと、取り付けポストに固定されたリテーナと、を有する固定システムに関するものである。
【背景技術】
【０００２】
通常のリングバインダーは、リングバインダー機構を、リベットを用いて表紙に固定することによって作られている。一般に、リングバインダー機構は、ハウジングと、孔開き頁のような、ルーズリーフ頁を保持するためのハウジングに取り付けられた複数のリング部材と、を具備している。一般に、リングバインダー機構は、リングバインダー機構の表紙と開口を通してリベットを挿入することによって、表紙に固定される。各リベットの尾部は、リングバインダー機構に係合して且つ固定されるように、（例えばパンチングによって）変形せしめられる。一旦、組み立てられると、リングバインダーは、梱包されて、卸業者、小売業者、又は直接的にエンドユーザー（すなわち消費者）に発送される。
【発明の開示】
【発明が解決しようとする課題】
【０００３】
従来のリングバインダー機構の欠点の１つは、それらが組み立てられた後の発送及び保存に関するものである。組み立てられたとき、リングバインダー機構と、各リングバインダー機構のための表紙と、の間に大きなギャップが存在し、多数リングバインダーの発送及び保存中に部屋の大部分を未使用のままにする。このように、各梱包のリングバインダーの数は、非常に制限されている。結果として、従来のリングバインダーを梱包して発送することは、重要な発送及び取り扱いコストには役に立たない。更に、制限された数のリングバインダーは、多くの量の保存空間又は小売り展示空間を占める。
【０００４】
この欠点に応えて、リングバインダーの製造業者は、その機構を交互方向に詰め込む。しかしながら、この梱包技術でさえ、大量の未使用空間をそのままにしておく。従来のリングバインダーの欠陥を克服するための努力が、共に割り当てられた、Toらの米国特許文献番号５，９２４，８１１、Chengの５，８７９，０９７、及びSchuesslerの５，１６０，２０９に記載されており、それらの全ては、全体を参照してここに取り込まれている。
【課題を解決するための手段】
【０００５】
第１の形態において、第１構造部材と第２構造部材とを共に固定するための固定システムは、第１構造部材と係合可能な管状の取り付けポストを備えている。取り付けポストは、第１端部と、第２端部と、第１端部と第２端部との間で延びており、且つ、取り付けポストの第１端部から第２端部へ延びている取り付けポストの内側チャンネルを構成している側壁と、を有している。少なくとも、取り付けポストの第１端部は開かれている。リテーナは、折り付けポストに対する動作に抗して取り付けポストの内側チャンネル内に保持されており、取り付けポストの第１端部に、取り付けポストの内側チャンネルより小さい大きさの中心開口を、有している。固定部は、第２構造部材と係合可能であり、取り付けポストの内側チャンネルの中にリテーナの中心開口を通して軸を挿入する際に、リテーナが、取り付けポストに固定部を固定し、その結果、第２構造部材を第１構造部材に固定するように、少なくともその第１端部で取り付けポストの内側チャンネルより小さく、且つリテーナの中心開口より大きい、断面の大きさの軸を有している。
【０００６】
別の形態において、第１構造部材と第２構造部材を共に固定するための固定システムは、第１構造部材と係合可能な管状の取り付けポストを備えている。取り付け構造部は、第１端部と、第２端部と、第１端部と第２端部との間で延びており、取り付け構造部の第１端部から第２端部へ延びている取り付け構造部の内側チャンネルを構成している側壁と、を有している。取り付け構造部の第１端部は、その中に開口を有している足を備えている。リテーナは、それに対する動きに抗する取り付け構造部の足によって内側チャンネル内に保持されている。固定部は、第２構造部材と係合可能であり、取り付け構造部に固定部を固定し、その結果、第２構造部材を第１構造部材に固定する、リテーナと係合可能な軸を、有している。
【発明を実施するための最良の形態】
【０００７】
それぞれの図において、対応する符号は、対応する部品を示している。
【０００８】
図を参照して、特に、図１及び２を参照すると、リングバインダーは、概ね参照符号１で示されている。リングバインダー１は、バインダーカバー５（広義には、第２構造部材）に取り付けられたリングバインダー機構３（広義には、第１構造部材）を備えている。表紙及びリングバインダー機構は、概ね、個別の参照符号によって示されている。表紙５は、前パネル５ａと、後パネル５ｂと、背５ｃと、を具備している。前パネル５ａの一部は、部分的に切り取られているが、前パネルは、後パネル５ｃと実質的には同じである。前パネル及び後パネル５ａ、５ｂは、それらが、リングバインダー機構３によって保持されたルーズリーフ頁（図示せず）を選択的に覆ったり、表出させたりするために動くことができるように、背５ｃにヒンジで取り付けられている。リングバインダー機構３が、表紙５の背５ｃに取り付けられている状態で図１に示されている一方で、リングバインダー機構は、表紙の前パネル及び後パネル５ａ、５ｂに取り付けられることが理解できる。更に、リングバインダー機構３は、ファイルのような、表紙５とは別の基材に取り付けられ得る。
【０００９】
表紙の背５ｃは、図２に示されるように、リングバインダー機構３を、以下に更に詳細に示すような、表紙５に取り付けるのに使用するための２つの円形開口１１を、具備している。開口１１は、リングバインダー機構３が背に取り付けられるときに、リングバインダー機構の長手方向軸ＬＡ２が、背（図１）の長手方向軸に概ね平行となるように、背５ｃの長手方向軸ＬＡ１に沿って、軸方向に位置決めされている。開口１１の数は、２つでなくてもよいし、開口の形状は、円形でなくてもよい。
【００１０】
図１及び２に示されるように、リングバインダー機構３は、実質的には類似の（それぞれ参照符号１４によって概ね示された）２つの作動レバーを支持する細長いハウジング１３と、（それぞれ参照符号１５によって概ね示された）３つのリングと、を具備している。ハウジング１３は、略アーチ形状の断面（図３Ａ〜３Ｃ参照）を有する左右対称であり、横に向かい合って縦方向に延びている２つの縁部と、２つの縦方向端部と、を具備している（図２参照）。各レバー１４は、概ね向かい合った縦方向端部で、閉状態（図４参照）と開状態（図６参照）との間のリング１５の動作を制御するために、ハウジング１３上に回転可能に取り付けられている。リング１５を動かすためのレバー１４の使用は、以下に詳細に説明される。
【００１１】
図４〜６に示されるように、下に曲げられたリム１９は、ハウジング１３の各長手方向に沿って形成されており、長手方向端部の一方から他方へ、ハウジングの全周にわたって延びている。下に曲げられた２つのリム１９の各端部は、ハウジング１３の上面の一部分と共に挟まれており、４つのポケットを形成している（各ポケットは参照符号２１によって示されている）。更に、２つのポケット２１は、ハウジング１３の各長手方向端部に近接している。６つのスロット２３は、下に曲げられた２つのリム１９に沿って配置されている。スロット２３は、各リングが開閉のためにハウジング１３の横方向に動くことができるように、それを通って、リング１５の１つを受け取る各対と共に、横に向かい合った３つの対で配置されている。図２及び５に示されるように、２つの円形開口２５は、長手方向端部の近くで、ハウジング１３に設置されており、それぞれが、概ね参照符号２７で示されている取り付けポスト（広義には、取り付け構造部）を、表紙５の背５ｃ上に（すなわち、表紙５の背５ｃと関連した空間に）リングバインダー機構３を支持するためのハウジング１３で受け取って、且つ取り付けるようになっている。ハウジングは金属で作られることが想像されるが、機構の構成要素のための安定な取り付けを提供するのに十分な剛性のある他の適切な材料で作ってもよい。
【００１２】
リング１５のそれぞれは、２つのリング部材を備えており、２つのリング部材は、閉状態（図１参照）と開状態（図６参照）との間で、互いに対して動作するためのハウジング１３によって支持されている。閉状態において、リング部材２９は、ルーズリーフ頁を保持し、その頁が、リング部材２９の一方から他方へリング１５に沿って動くことができるように、実質的に連続した、閉じたリング又はループを形成する。開状態において、各リング部材２９は、不連続で、開いた、頁を加えたり取り除いたりするための、適切なループを形成する。リング部材は、従来の、鋼のような、適切な材料の円筒ロッドで形成されている。しかし、異なった断面を有するリング部材又は異なった材料で作られたリング部材は、本発明の範囲から逸脱するものではない。図示された機構においては、両方のリング部材が動くことができるが、動作可能な１つのリング部材と、固定された１つのリング部材を有する機構は、本発明の範囲から逸脱するものではない。更に、３つよりも大きい又は小さいリングを有する、又は、リング部材が閉じられたときに、傾斜した「Ｄ」形状のような他の形状を形成したリングを有する機構は、本発明の範囲から逸脱するものではない。
【００１３】
図５に示されるように、各リング１５の２つのリング部材２９は、ヒンジプレートの対の一方に互いに向かい合って取り付けられている（各ヒンジプレートは概ね参照符号３１によって示されている）。ヒンジプレートは、それぞれ薄くて細長く、内側長手方向縁部及び外側長手方向縁部と、２つの長手方向端部と、を有している。各ヒンジプレート３１は、２つの四角いノッチ３３と、２つの丸い切欠き３５と、を更に具備しており、ノッチ３３及び切欠き３５のそれぞれは、ヒンジプレートの内側長手方向縁部に沿って設置されている。２つのノッチ３３は、個々のヒンジプレート３１の長手方向端部にそれぞれ設置されており、２つの切欠き３５は、概ねヒンジプレートの端部に近接しているが、個々のノッチ３３の１つから内側に、それぞれ設置されている。
【００１４】
図４、４Ａ、及び６を参照して、ヒンジプレート３１は、それらの内側長手方向縁部に沿って、並列配置で互いに取り付けられており、回転軸を有する中心ヒンジを形成している。ハウジング１３は、その下に曲げられた２つのリム１９の上の相互連結したヒンジプレート３１の外側長手方向縁部を、ゆるく受け取る。このように、ヒンジプレート３１は、外側長手方向縁部がリム１９の中で自由に動きながら、ハウジング１３上に保持されている。近接しているヒンジプレートの対応するノッチ３３は、プレート３１の向かい合った長手方向端部で２つの箱状の凹部３９を形成するように位置決めされている。これらの凹部３９は、以下に、更に詳細に述べるように、作動レバー１４と相互に作用するための大きさ及び形状を有する。同様に、対応する切欠き３５は、２つの略円形開口４１を形成するように位置決めされており、それぞれは、ヒンジプレート３１を介して取り付けポスト２７の１つを受け取るための大きさ及び形状を有する。図示した機構において、箱状の凹部３９及び円形開口４１は、両方とも相互連結したヒンジプレート３１の回転軸の周囲に対称的に設置されている。しかしながら、相互連結したヒンジプレートの回転軸の周囲に別に配置された開口及び凹部の機構が意図されている。
【００１５】
ハウジング１３は、ヒンジプレートが同一面状態にあるとき（すなわち、ヒンジプレート３１の外側面の間の角度が１８０度のとき）に結合したヒンジプレート３１よりも、わずかに狭くなっている。ヒンジプレート３１がこの状態の方に回転するので、それらは、弾性ハウジング１３を変形させて、ハウジング内で閉じているリング部材２９（すなわち、ハウジングの上面から下に離れて回転軸を動かす（図４））又は開いているリング部材２９（すなわち、ハウジングの上面の上の方へ回転軸を動かす（図６））のどちらかを、同一平面状態から離れた方に回転するように、ヒンジプレート３１を付勢するばね力を、引き起こす。更に、リング部材２９が閉じられたときに、このばね力が、ヒンジプレート動作に抵抗して、リング部材を共に固定する。リング部材２９が開かれたときに、ばね力は、それらを離れた状態で保持する。このように、図示された実施形態は、ヒンジプレート３１及びリング部材２９を動かすための従来の配列を使用する。リング部材２９を動かす別の方法、及び、それらを閉状態又は開状態でロックする別の方法は、本発明の範囲内で使用できる。
【００１６】
２つの作動レバー１４は、図４Ａ、７Ａ及び７Ｂに最もよく示されている。各レバー１４は、レバーを回転するためにつかむための、概ねハウジング１３の上方向に延びている平頭部４３を、相対的に具備している。更に、それぞれは、それぞれ参照符号４５によって示された２つの横アームと、参照符号４７によって概ね示されたカムと、を具備している。図７Ａに最もよく示されているように、横アーム４５は、平頭部４３の下で、各レバー１４の向かい合った側部から側面に沿って外側に延びている。各レバーの２つのアーム４５は、ハウジング１３の各長手方向端部に配置された２つのポケット２１の中にゆるく取り付けられており、レバー１４が、ハウジングに対して横の軸の周囲を、ポケットの中で、ハウジングに対して回転することができる（図４及び６）。図７Ａ及び７Ｂを再び参照して、各レバーのカム４７は、横アーム４５の下で、レバー１４に一体化して取り付けられている。それは、アーム４５から下方向に延びて、平頭部４３から外方向に曲がっており、ヒンジプレート３１の個々の箱状の凹部３９の１つに取り付けられている。各カムのベース５１は、プレートの下にあるが、各カムの拡張タブ４９は、相互連結したヒンジプレート３１を超えて、ゆるく固定されている。タブ４９及びベース５１は、共にリング部材２９を開閉するヒンジプレートの回転動作を制御するように、操作可能な係合のために、ヒンジプレート３１をその間にとらえる。リング部材２９を閉じる操作において、レバー１４を、上方向且つ内側方向に回転させる。タブ４９は、ヒンジプレート３１のトップ面を係合し、プレートの回転軸を下方向に引く。リング部材２９を開くために、レバー１４を、外方向且つ下方向に回転させる。ベース５１は、ヒンジプレート３１の底面を係合し、プレートの回転軸を上方向に押す。異なった形状を有するレバー又は異なったハウジングに取り付けられたレバーが使用され得ることが理解できる。更に、１つのレバーを有する又はレバーを有さない機構、例えば、手でリングを共に押すことによって閉じられ、手でリングを共に拡げることによって開かれる機構が、意図されている。
【００１７】
２つの取り付けポスト２７は、図２及び３Ｃに示すように、レバー１４に近接して配置されており、ヒンジプレート３１に背５ｃを係合させることなく回転できるように、表紙５とリングバインダー機構に間隔を設けている。この状態において、取り付けポスト２７は、相互連結したヒンジプレート３１の個々の楕円形開口４１と位置決めされ、それらの操作に干渉することなく、ヒンジプレートを通過する（図４）。各取り付けポスト２７は、形状において管状であり、２つの開口端部、第１端部及び第２端部を有している。取り付けポスト２７のそれぞれの側壁は、２つの端部の間で延びており、内側チャンネルを構成する。第２端部で、取り付けポスト２７のそれぞれは、ハウジング３の上面の円形開口２５の１つに隣接したハウジング３にポストを取り付ける変形可能なリップ２７ａを、具備している（図３Ｂ、３Ｃ）。取り付けポスト２７をハウジング３に取り付ける他の方法が使用できることが理解できる。第１端部に隣接して、取り付けポスト２７のそれぞれは、そこに開口５７を有する円形リム２７ｂによって構成された足を具備している（図３Ａ）。
【００１８】
図２〜３Ｃに示されるように、リングバインダー機構３は、概ね参照符号５３で示された１対のリテーナと、概ね参照符号５５で示された１対の固定部と、を用いて表紙５に取り付けられている。リテーナ５３のそれぞれは、取り付けポスト２７の開口５７で受け取られており、円形リム２７ｂの外側縁部全体を曲げることによって、円形リム２７ｂに取り付けられている（図８Ａ、８Ｂ）。このように、リテーナ５３は、個々の取り付けポスト２７に対する動作に抗して保持されている。リテーナ５３のそれぞれは、リングバインダー機構３を、表紙５の背５ｃに取り付けるための固定部５５の１つを受け取って、且つ保持するための大きさ及び形状を有している。更に、各リテーナ５３は、中心開口５９を有しており、それは、取り付けポスト２７の内側チャンネルより小さく、複数のタブ６１が、取り付けポストの内側チャンバーの内部に横に延びて、中央開口を構成している。タブ６１は、取り付けポストの変形可能なリップ２７ａの方へ、長手方向部分に向かって延びるように、取り付けポストの側壁に対して角度を有している。５つのタブ６１は、図示した構成で示されるが、それ以上又はそれ以下のタブが使用され得る。例えば、図３３Ａ〜３３Ｃに示されたリテーナは、４つのタブを有している。
【００１９】
図３Ａ〜３Ｃに示されるように、固定部５５のそれぞれは、表紙５の背５ｃの開口１１の１つと、リングバインダー機構３を表紙５に固定するためのリテーナ５３の１つの個々の開口５９と、を通過せしめられる。固定部５５のそれぞれは、丸い自由端６９と、軸の他端に取り付けられた（すなわち、自由端と向かい合った端部）頭部７０と、を有する軸６７を具備している。自由端６９は、背５ｃの開口１１及びリテーナ５３の開口５９を通って固定部５５の軸６７を簡単に挿入させるように、テーパー状にされている。リテーナ５３のタブ６１は、弾性的に変形可能であり、タブ６１によって構成された、リテーナのそれぞれの開口５９は、固定部５５の軸６７の幅Ｗ２より小さい幅Ｗ１を有する（図３Ａ）。図３Ｂに示されるように、固定部５５が、リテーナ５３の開口５９に押し通されたとき、タブ６１は、幅の広いシャフト６７が開口を通過することができるように変形する（すなわち、取り付けポスト２７のリップ２７ａの方へ、軸方向にゆがめる）。固定部５５が、リテーナ５３の開口５９に押し通されたとき、タブ６１の自由端は、固定部の軸６７の表面に沿って係合且つスライドする。一旦挿入されると、タブ６１の自由端は、軸６７の表面と接触したままであり、リテーナ５３から固定部５５を取り除くことを妨げる。タブ６１の角度は、開口５９を通して固定部５５を案内するのに役立ち、タブの変形を容易にし、タブの自由端が、固定部の軸６７の表面をとらえることができる。固定部は、固定部の軸の表面をとらえているタブ６１の自由端によって、取り除かれるのを妨げられている。取り付けポスト２７及びリテーナ５３から固定部５５を引き抜く傾向のある動作は、タブ６１が、リテーナの平面構成の方へ動く原因となる。これは、開口５９の大きさを減少し、タブ６１が、固定部５５をよりいっそう支え、その結果、固定部を引き抜くことを妨げる。固定頭部７０のそれぞれは、固定部５５がリングバインダー機構３を表紙５に固定するのに使用されるときに、背５ｃの外側表面を係合する。対応する取り付けポスト２７、リテーナ５３及び固定部５５は、共同で固定システムを構成している。
【００２０】
リングバインダー１は、固定システムを使用して容易に手で組み立てられ得る。リングバインダー機構３は、リングバインダー機構の長手方向軸ＬＡ２が、表紙５の背５ｃの長手方向軸ＬＡ１と位置決めされており、取り付けポスト２７によって支持されたリテーナ５３の開口５９は、表紙の背の開口１１と位置決めされている。次に、固定部５５のそれぞれは、リテーナのタブ６１が固定部の軸６７をとらえて、リングバインダー機構３を、表紙に固定するように、個々のリテーナ５３の開口５９、及び、表紙５の開口１１の１つを通して挿入されている。
【００２１】
更に、リングバインダー１は、表紙５にしっかりと取り付けたリングバインダー機構３を有することなく、梱包、発送、保存、及び／又は、販売され得る。例えば、多数の表紙５は、近接した表紙の間の狭隘の空間が無にされるように、共に梱包及び出荷され得る。これは、前パネル５ａ、後パネル５ｂ及び背５ｃが全て実質的に同じ平面にあり、他を上端に積み重ねるように、平らに表紙５を横たえることによってなされ得る。リングバインダー機構３及び固定部５５は、表紙５と同じコンテナで、又は単独で梱包され得る。どちらにしても、リングバインダー機構３は、無駄な空間を最小にするように配列され得る。リングバインダー機構３のための可能な梱包配列の１つが、１つの機構のリング１５が、近接機構のリングの間に配置されるように交互方向にそれらを、梱包することである。結果として、分離された表紙５とリングバインダー機構３を、更に能率的に梱包、発送及び保管することができ、取り付けられたリングバインダー機構を有するリングバインダーよりも効率的なコストとなる。
【００２２】
リングバインダー機構３は、例えば、それらを顧客に移動する（すなわち販売後）前に、又はそれらをディスプレーにおく前に、小売業者によって、表紙５に取り付けられ得る。また、顧客は、節約した保管空間を利用するために、リングバインダー機構３及び表紙５を別々のままにすることを望むかもしれない。このように、顧客は、リングバインダー機構３を表紙５に取り付ける人かもしれない。更に、リングバインダー機構及び表紙は、様々なときにリングバインダーを形成するように連結され得る。小売業者及び顧客によって表紙に取り付けられているリングバインダーの例は、他の特定の人が、製造業者であり、リングバインダーを組み立てるということが１つの例である。リングバインダー機構は、ここに述べた手動工程と同じように自動工程を使用して表紙に取り付けられ得る。
【００２３】
リングバインダー機構１０３を表紙１０５に取り付けるように適合された固定システムは、別の構成を有する図９〜１２に示されている。リングバインダー機構１０３及び表紙１０５は、前に述べたリングバインダー機構１０３及び表紙１０５と実質的には同一であり、そしてそれ故、再び述べることはしない。対応する部品は、図１〜８Ｂに示されたリングバインダーのために使用された同じ参照符号に１００を足した参照符号で示されている。
【００２４】
この構成における固定システムは、２つのバレルブッシング１２７と、２つのリテーナ１５３と、２つの固定部１５５と、２つのプラグ１５６と、を備えている。固定システム構成部品（すなわち、バレルブッシング、リテーナ、固定部、及びプラグ）は、それら個々の参照符号によって概ね示されている。より多くの又はより少ない固定システム構成部品リングバインダー機構１０３を表紙１０５に固定するために使用できる。各バレルブッシング１２７は、開口端部を有する管状の壁１２７ｃを、具備している。管状の壁は、バレルブッシング１２７の内側チャンバーを構成している。第２端部で、バレルブッシング１２７のそれぞれは、ハウジング１０３の上面の２つの円形開口１２５の１つでブッシングをリングバインダー機構に取り付けるための、変形可能なリップ１２７ａを、具備している。第１端部で、バレルブッシング１２７は、ブッシングを背１０５ｃ上で支持するための、ブッシングの内側を納めた円形リム１２７ｂを、具備している。この構成におけるリテーナ１５３及び固定部１５５は、図１〜８の前述の構成で述べられ、且つ示されたリテーナ５３及び固定部５５と、実質的には同じである。従って、リテーナ１５３及び固定部１５５は詳細に記載しない。
【００２５】
プラグ１５６のそれぞれは、外側表面と２つの端部を有するステム１５６ａを具備している。頭部１５６ｂは、その端部の１つで、ステム１５６ａに取り付けられており、リングバインダー機構１０３のハウジング１１３の中の開口１２５の１つをキャップするための大きさと形状を有している。頭部１５６ｂと向かい合った、ステム１５６ａの端部１５６ｃは、端部の略中心に配置された円形凹部１５６ｄを有している。凹部１５６ｄは、そこに、固定部１５５の１つを受け取るような大きさと形状を有している。バレルブッシング１２７の内側チャンバーの中にプラグ１５６を位置決めし、且つ挿入するのを容易にするために、ステム１５６ａの外側表面は、端部１５６ｃに近づくにつれてテーパー状になっている。
【００２６】
使用中に、リテーナ１５３のそれぞれは、個々のバレルブッシング１２７に設置されており、個々のプラグ１５６は、バレルブッシングの１つと位置決めされ、且つ、バレルブッシングの１つに挿入されている。結果として、リテーナ１５３のそれぞれは、プラグ１５６の自由端１５６ｃと、バレルブッシングのリム１２７ｂとの間で挟まれることによって、バレルブッシング１２７に固定されている（図１２）。固定部１５５のそれぞれは、表紙１０５の背１０５ｃの開口１１１の１つと、個々のリテーナ１５３の開口１５９と、を通過せしめられ、リングバインダー機構１０３を表紙１０５に固定するためのプラグ１５６の凹部１５６ｄの中に入る。図１１及び１２は、表紙１０５の背１０５ｃに固定されたリングバインダー機構１０３を示す。
【００２７】
図１３〜１８Ｂは、リングバインダー機構２０３を表紙２０５に取り付けるための固定システムの、更に別の形態を示す。その形態は、リングバインダー機構のハウジング２１３に取り付けられた２つのクリップ２２７が、図１〜８Ｂに示された構成で使用された取り付けポスト２７の代わりに、２つのリテーナ２５３を支持するために使用されていることを除いて、図１〜８Ｂに示された固定システムに類似している。クリップ２２７は同じであるから、クリップ２２７のみ詳細に述べる。図１８Ａ及び１８Ｂを参照して、クリップ２２７は、概ね平坦で、長方形のベース２２７ａ（広義には、第１端部）と、ベースの長手方向縁部から上方へ延びている１対の側壁２２７ｂ（広義には、第２端部）と、を具備している。クリップ２２７のベース２２７ａは、リテーナ２５３を受け取るための大きさと形状を有している円形シート２２７ｃを具備している。シート２２７ｃは、その中心に、リテーナがシート上で受け取られたときに、個々のリテーナ２５３の開口２５９と位置決めするための、開口２２７ｄを、有している。結果として、固定部が、ハウジング２１３を背２０５ｃに固定するために使用されたときは、固定部２５５は、クリップ２２７の開口２２７ｄ及びリテーナ２５３の開口２５９を通って延びている。１対のベントタブ２２７ｅは、ベース２２７ａから孔をあけられて、シート２２７ｃの上に延びており、シートにリテーナ２５３を固定するために使用されている。
【００２８】
クリップ２２７の側壁２２７ｂのそれぞれは、リングバインダー機構ハウジング２１３の側部の形状に適合するように、略Ｃ形状断面を有している。この構成において、クリップ２２７の側壁２２７ｂのそれぞれの部分は、リングバインダー機構ハウジング２１３と、概ね参照符号２３１で示された、１対のヒンジプレートとの間で、リップ２１９の１つによって構成された空間に配置されている。このように、クリップ２２７は、ヒンジプレート２３１が、リング２１５を開閉するよう動くことができるように、表紙２０５の背２０５ｃとハウジング２３１に空間を設けている。クリップ２２７は、他の方法でハウジング２３１に取り付けられ得る。
【００２９】
図１９〜２２は、クリップ２２７’の別の構成を示しており、クリップが、リングバインダー機構２０３’のハウジング２１３’の外側に固定されている。この構成において、クリップ２２７’の対向した側壁２２７ｂ’の間の空間は、リングバインダー機構２０３’の幅よりわずかに小さくなっている。クリップ２２７’が、リングバインダー機構２０３’のハウジング２１３’の上の方に、スライド又はスナップするときは、側壁２２７ｂ’は、リングバインダー機構の長手方向軸から離れるように外側に曲がる。側壁２２７ｂ’の弾性は、クリップ２２７’をハウジングに取り付けるように、側壁が、ハウジング２１３’の側部をしっかりととらえる原因となる。図示した構成の側壁２２７ｂ’は、クリップ２２７’をハウジングに更に固定するように、ハウジング２１３’の開口２０４’で受け取られるロックタブ２２７ｆ’を、更に具備している。リテーナ２５３’及びその固定具との連携は、図１３〜１８Ｂに示されたバージョンで述べたのと同様である。
【００３０】
図２３及び２４は、リングバインダー機構３０３と表紙３０５とを有するリングバインダー３０１の、更に別の構成を示している。表紙３０５は、図１〜８の表紙５と実質的には同じであるので、単に表紙の背５ｃのみが示されている。この構成において、リングバインダー機構３０３は、（それぞれが、概ね参照符号３１５で示されている）２つのリングを支持する細長いハウジング３１３を、具備している。この構成におけるリング３１５のそれぞれは、２つのリング部材３２９を具備しており、リング部材３２９は、リング部材を引き離すことによって手で開くことができ、リング部材をくっつけることによって閉じることができる。リング部材３２９は、図１〜８Ｂに関して先に示され且つ述べられたヒンジプレート３１と、実質的に類似している、ヒンジプレート（図示せず）に、回転可能に取り付けられている。
【００３１】
ハウジング３１３は、略アーチ形状の断面を有する対称形であり、横に向かい合った、２つの長手方向に延びている縁部と、２つの長手方向端部と、を具備している。ハウジング３１３は、２つの矩形の凹部３８３を概ね具備しており、１つの凹部は、その長手方向端部のそれぞれに近接している。ハウジング３１３は、凹部３８３を手段として、ヒンジプレートの動作のために必要な空間を与えるために、背３０５ｃに係合するように形成されている。凹部３８３のそれぞれは、そこに、開口３８５を有しており、その開口３８５は、表紙３０５の背３０５ｃに開口３１１を位置決めするための大きさ及び形状を有している。リングバインダー機構３０３は、ハウジング３１３の凹部３８３で、リテーナ３５３を開口３８５のそれぞれと位置決めすることによって、背３０５ｃに固定されている。次に、固定部３５５は、背３０５ｃの開口３１１のそれぞれ、ハウジング３１３の開口３８５、及び、リテーナ３５３の個々の開口３５９、を通ってスライドせしめられる。リテーナ３５３と係合された固定部３５５と共に、図２４に示されたように、リングバインダー機構３０３は、表紙３０５の背３０５ｃに固定されている。この構成において、リテーナ３５３及び固定部３５５は、図１〜８Ｂに示されたリテーナ５３及び固定部５５と実質的には同様である。そして、それ故、再度は、記載されない。対応する部品は、図１〜８Ｂに示されたリングバインダーのために使用された同じ参照符号に３００を足した参照符号で示されている。
【００３２】
図２５〜２７は、図２３及び２４のハウジング３１３が、リテーナ４５３をハウジングに取り付けることができるように変更され得ることを示している。このハウジング構成において、ハウジングの凹部４８３に近接したハウジング４１３の部分は、孔をあけられて（又は切断されて）、ベントタブ４８７を形成するように上方に曲げられている。ベントタブ４８７は、挟まれており、それ故、タブと、ハウジングの凹部４８３の開口４８５に近接したハウジング４１３の部分と、の間でリテーナ４５３に固定されている。リテーナ４５３をハウジング４１３に取り付ける他の手段は、本発明の範囲から逸脱することなく使用され得る。
【００３３】
図２８〜３０ｃは、リテーナ５５３が、ハウジングに取り付けられた、図２３及び２４のハウジング３１３の別の変更バージョンを示している。このハウジング構成において、凹部５８３の開口５８５に近接したハウジング５１３の一部分は、アーチ形開口５９１を形成するように、切り取られている。リテーナ５５３は、ハウジング５１３のアーチ形開口５９１に挿入されるためのショルダー５９３を具備している（図３０Ａ）。リテーナ５５３のショルダー５９３は、曲がっており、それ故、ショルダーをハウジング３１３に固定する（図３０Ｂ及び３０Ｃ）。示された構成のショルダー５９３は、ハウジング５１３の開口５８５の方へ曲がっているが、ショルダーを、開口から離れるように曲げることもできる。
【００３４】
図３１〜３３Ｃは、各リテーナ６５３が、キャップ６９５の中で受け取られる、図２３及び２４に類似の構成を示す。図３１〜３３Ｃに示された構成において、リテーナ６５３は、キャップ６９５に回転可能に固定され得る。キャップは、凹部６９５ｄと、凹部に近接した２つのアーチ形リブ６９５ａと、リブ６９５ａに形成された２つのチャンネル６９５ｂと、を具備している。この構成のリテーナ６５３は、リテーナの開口６５９を構成する４つのタブ６６１を有している。リテーナ６５３は、キャップ６５９のリブ６９５ａに形成された２つのチャンネル６９５ｂの中へスライドするようになっている、１対の耳６６０を、更に具備している。リテーナ６５３をキャップ６５９に固定するために、リテーナは、リテーナの耳６６０がキャップの両リブ６９５ａの間に配置されるように、キャップ上に設置されている（図３３Ａ）。リテーナ６５３は、その後、耳６６０が、チャンネル６９５ｂの中へ動くように回転せしめられる。
【００３５】
キャップ７９５とスナップ式の連結を有するリテーナ７５３が、図３４〜３８Ｂに示されている。この構成において、リテーナ７５３は、５つの耳７９７と、開口７５９を構成する５つのタブ７６１と、を具備している（図３８Ａ及び３８Ｂ参照）。キャップ７９５は、凹部７９５ｄと、凹部７９５ｄに近接した第１環状リブ７９５ａと、第１環状リブと間隔を開けた第２環状リブ７９５ｃと、を具備している。第１環状リブ及び第２環状リブ７９５ａ、７９５ｃは、チャンネル７９５ｂを構成するように協働する。リテーナ７５３をキャップ７９５に固定するために、リテーナは、キャップと位置決めされ、且つキャップに押しつけられる。押圧は、リテーナ７５３の耳７９７を、キャップ７９５のチャンネルにはめ込む原因となり、それ故、リテーナをキャップに取り付ける。リテーナは、他の方法でキャップに取り付けられ得る。更に、リテーナ及びキャップは、別々に固定具に取り付けられた単独の部品として形成され得る。固定部７５５は、リテーナ７５３が、先のバージョンと同様に固定部をとらえるように、キャップ７９５に押し込まれることによって、ハウジング７１３を背７０５ｃに固定する。
【００３６】
図３９〜４２Ｂは、本発明の固定システムの更なる構成を示す。この構成において、短い取り付けポスト８２７が、リングバインダー機構を表紙８０５の背８０５ｃに取り付けるためのリングバインダー機構８０３のハウジング８１３に、リテーナ８５３を、固定するために使用される。図３９〜４２Ｂの表紙は、図１〜８の表紙５と実質的に同様であり、図３９〜４２Ｂのリングバインダー機構８０３は、図２３及び２４のリングバインダー機構３０３と実質的に同様である。各取り付けポスト８２７は、管状形状であり、２つの開口端部を有する。第２端部で、取り付けポスト８２７のそれぞれは、ハウジング８１３の上面の２つの円形開口８８５の１つに、取り付けポストを取り付ける変形可能なリップ８２７ａを、具備している（図４１）。第１端部で、取り付けポスト８２７のそれぞれは、第１端部の開口８５７を構成する円形リム８２７ｂを具備している。リテーナ８５３のそれぞれは、取り付けポスト８２７の開口８５７で受け取られており、円形リムの曲がった外側縁部によって、円形リム８２７ｂの下の場所に保持されている（図４２Ａ及び４２Ｂ）。リテーナ８５３のそれぞれは、リングバインダー機構８０３を、表紙８０５の背８０５ｃに取り付けるための２つの固定部８５５の１つを、受け取り且つ保持するための大きさ及び形状を有している。リテーナ８５３及び固定部８５５は、図１〜８Ｂに示されたリテーナ５３及び固定部５５と、実質的には同様である。
【００３７】
本発明の機構の構成要素は、金属（例えば鋼）のような適切な材料で作られている。しかし、特にプラスチックを具備している非金属材料で作られている機構は、本発明の範囲から逸脱するものではない。
【００３８】
本発明、又は、その好ましい実施形態の要素を説明するときに、「１つの」、「その」、及び「上記の」という冠詞は、１つ以上の要素があることを意味するものである。「備える」、「具備する」及び「有する」という用語は、包括的であること、及び、列挙された要素以外に追加される要素があり得ること、を意味するものである。更に、「上」及び「下」及びそれらのバリエーションのような配向用語の使用は、便宜のためのものであり、構成要素の特定の配向を要求するものではない。
【００３９】
種々の変更を、本発明の範囲から逸脱することなく、上記において行うことができるので、上記記載に含まれ且つ添付図面に示された全ての事項は、例示として解釈されるべきものであり、限定する意味のものではない。
【図面の簡単な説明】
【００４０】
【図１】表紙と表紙の背に取り付けられたリングバインダー機構とを具備するリングバインダーの部分斜視図であり、リングバインダー機構が、本発明の固定システムを用いて表紙に取り付けられている。
【図２】表紙の背から分解されたリングバインダー機構を有する図１に類似の斜視図であり、表紙の残りの部分は示されていない。
【図３Ａ】図２の線３Ａ−３Ａでの断面である。
【図３Ｂ】図３Ａに類似の断面図であるが、表紙と係合しているリングバインダー機構と、背を通してリングバインダー機構に部分的に挿入されている固定部とを示している。
【図３Ｃ】背を通して、リングバインダー機構に完全に挿入された固定部を示す、図１の線３Ｃ−３Ｃでの断面である。
【図４】リングバインダー機構の底面斜視図である。
【図４Ａ】そこに取り付けたリテーナを有する取り付けポストを示す図４のリングバインダー機構の円周部分の拡大斜視図である。
【図５】図４のリングバインダー機構の拡大斜視図である。
【図６】図４の斜視図であるが、開状態のリング部材を有する。
【図７Ａ】ヒンジプレートに接続されたレバーを示すためにハウジングを取り除いたリングバインダー機構の拡大部分斜視図である。
【図７Ｂ】図７Ａの線７Ｂ−７Ｂでの断面である。
【図８Ａ】取り付けポストと、取り付けポストから分解されたリテーナとの分解斜視図である。
【図８Ｂ】図８Ａの類似の斜視図であるが、取り付けポストに取り付けられたリテーナを示す。
【図９】表紙の背、リングバインダー機構及び別の構成を有する固定システムの分解斜視図である。
【図１０】図９に類似の図であるが、リングバインダーを部分的に組み立てられた背に取り付けるために使用される固定システムを示す。
【図１１】図１０に類似の図であるが、リングバインダー機構を背に取り付ける固定システムを示す。
【図１２】図１１の線１２−１２での断面である。
【図１３】背表紙、リングバインダー機構及び更に別の構成の固定システムの分解斜視図である。
【図１４】図１３に類似の図であるが、リングバインダー機構を背に取り付けた固定システムを示す。
【図１５】図１４の線１５−１５での断面である。
【図１６】固定システムを示すために、部品を切断し、取り除いた図１４の斜視図の拡大部分である。
【図１７】それに接続された固定システムのクリップを有するリングバインダー機構の底面斜視図である。
【図１８Ａ】そこから取り除かれたリテーナを示すクリップの斜視図である。
【図１８Ｂ】図１８Ａに類似の図であるが、クリップに取り付けられたリテーナを示す。
【図１９】表紙の背、リングバインダー機構及び更なる構成を有する固定システムの分解斜視図である。
【図２０】図１９に類似の図であるが、リングバインダー機構を背に取り付けた固定システムを示す。
【図２１】図２０の線２１−２１での断面である。
【図２２】クリップに取り付けられたリテーナを示すクリップの斜視図である。
【図２３】表紙の背、リングバインダー機構及び更なる構成を有する固定システムの分解斜視図である。
【図２４】図２３に類似の図であるが、リングバインダー機構を背に取り付けた固定システムを示す。
【図２５】表紙の背、リングバインダー機構及び更に別の構成を有する固定システムの分解斜視図である。
【図２６】図２５に類似の図であるが、リングバインダー機構を背に取り付けた固定システムを示す。
【図２７】図２６の線２７−２７での部分断面である。
【図２８】表紙の背、リングバインダー機構及び別の構成を有する固定システムの分解斜視図である。
【図２９】図２８に類似の図であるが、リングバインダー機構を背に取り付けた固定システムを示す。
【図３０Ａ】リングバインダー機構とリングバインダー機構から分解されたリテーナとを示す拡大部分斜視図である。
【図３０Ｂ】リングバインダー機構に取り付けられたリテーナを示すリングバインダー機構の斜視図である。
【図３０Ｃ】リングバインダー機構に取り付けられたリテーナを示す底面斜視図である。
【図３１】表紙の背、リングバインダー機構及び更に別の構成を有する固定システムの分解斜視図である。
【図３２】図３１に類似する図であるが、リングバインダー機構を部分的に組み立てられた背に取り付けるために使用された固定システムを示す。
【図３３Ａ】解錠状態でリテーナを有するキャップを示す斜視図である。
【図３３Ｂ】図３３Ａに類似の図であるが、ロック状態のリテーナを示す。
【図３３Ｃ】ロック状態のリテーナを示すために部分的に切り取ったキャップを示す部分斜視図である。
【図３４】表紙の背、リングバインダー機構及び更なる構成を有する固定システムを示す分解斜視図である。
【図３５】図３４に類似の図であるが、リングバインダーを、部分的に組み立てられた背に取り付けるために使用された固定システムを示す。
【図３６】図３５に類似の図であるが、リングバインダー機構を背に取り付けた固定システムを示す。
【図３７】図３６の線３７−３７での断面である。
【図３８Ａ】キャップから取り除かれたリテーナを有するキャップを示す斜視図である。
【図３８Ｂ】図３８Ａに類似の斜視図であるが、キャップに取り付けられたリテーナを示す。
【図３９】表紙の背、リングバインダー機構及び更に別の構成を有する固定システムの分解斜視図である。
【図４０】図３９に類似の図であるが、リングバインダーを、部分的に組み立てられた背に取り付けるために使用された固定システムを示す。
【図４１】図４０に類似の図であるが、リングバインダー機構を背に取り付ける固定システムを示す。
【図４２Ａ】取り付けポストから取り除かれたリテーナを有する取り付けポストの斜視図である。
【図４２Ｂ】図４２Ａに類似の図であるが、取り付けポストに取り付けられた保持部を示す。
【図１】
2007253624.tif 000003
【図２】
2007253624.tif 000004
【図３Ａ】
2007253624.tif 000005
【図３Ｂ】
2007253624.tif 000006
【図３Ｃ】
2007253624.tif 000007
【図４】
2007253624.tif 000008
【図４Ａ】
2007253624.tif 000009
【図５】
2007253624.tif 000010
【図６】
2007253624.tif 000011
【図７Ａ】
2007253624.tif 000012
【図７Ｂ】
2007253624.tif 000013
【図８Ａ】
2007253624.tif 000014
【図８Ｂ】
2007253624.tif 000015
【図９】
2007253624.tif 000016
【図１０】
2007253624.tif 000017
【図１１】
2007253624.tif 000018
【図１２】
2007253624.tif 000019
【図１３】
2007253624.tif 000020
【図１４】
2007253624.tif 000021
【図１５】
2007253624.tif 000022
【図１６】
2007253624.tif 000023
【図１７】
2007253624.tif 000024
【図１８Ａ】
2007253624.tif 000025
【図１８Ｂ】
2007253624.tif 000026
【図１９】
2007253624.tif 000027
【図２０】
2007253624.tif 000028
【図２１】
2007253624.tif 000029
【図２２】
2007253624.tif 000030
【図２３】
2007253624.tif 000031
【図２４】
2007253624.tif 000032
【図２５】
2007253624.tif 000033
【図２６】
2007253624.tif 000034
【図２７】
2007253624.tif 000035
【図２８】
2007253624.tif 000036
【図２９】
2007253624.tif 000037
【図３０Ａ】
2007253624.tif 000038
【図３０Ｂ】
2007253624.tif 000039
【図３０Ｃ】
2007253624.tif 000040
【図３１】
2007253624.tif 000041
【図３２】
2007253624.tif 000042
【図３３Ａ】
2007253624.tif 000043
【図３３Ｂ】
2007253624.tif 000044
【図３３Ｃ】
2007253624.tif 000045
【図３４】
2007253624.tif 000046
【図３５】
2007253624.tif 000047
【図３６】
2007253624.tif 000048
【図３７】
2007253624.tif 000049
【図３８Ａ】
2007253624.tif 000050
【図３８Ｂ】
2007253624.tif 000051
【図３９】
2007253624.tif 000052
【図４０】
2007253624.tif 000053
【図４１】
2007253624.tif 000054
【図４２Ａ】
2007253624.tif 000055
【図４２Ｂ】
2007253624.tif 000056
【外国語明細書】
2007253624.tif 000057
2007253624.tif 000058
2007253624.tif 000059
2007253624.tif 000060
2007253624.tif 000061
2007253624.tif 000062
2007253624.tif 000063
2007253624.tif 000064
2007253624.tif 000065
2007253624.tif 000066
2007253624.tif 000067
2007253624.tif 000068
2007253624.tif 000069
2007253624.tif 000070
2007253624.tif 000071
2007253624.tif 000072
2007253624.tif 000073
2007253624.tif 000074
2007253624.tif 000075
2007253624.tif 000076
2007253624.tif 000077
2007253624.tif 000078
2007253624.tif 000079
2007253624.tif 000080
2007253624.tif 000081
2007253624.tif 000082
2007253624.tif 000083
2007253624.tif 000084
2007253624.tif 000085
2007253624.tif 000086
2007253624.tif 000087
2007253624.tif 000088
2007253624.tif 000089
2007253624.tif 000090
2007253624.tif 000091
2007253624.tif 000092
2007253624.tif 000093
2007253624.tif 000094
2007253624.tif 000095
2007253624.tif 000096
2007253624.tif 000097
2007253624.tif 000098
2007253624.tif 000099
2007253624.tif 000100
2007253624.tif 000101
2007253624.tif 000102
2007253624.tif 000103
2007253624.tif 000104
2007253624.tif 000105
2007253624.tif 000106
2007253624.tif 000107
2007253624.tif 000108
2007253624.tif 000109
2007253624.tif 000110
2007253624.tif 000111
2007253624.tif 000112
2007253624.tif 000113
2007253624.tif 000114
2007253624.tif 000115
2007253624.tif 000116
2007253624.tif 000117
2007253624.tif 000118
2007253624.tif 000119
2007253624.tif 000120
2007253624.tif 000121
2007253624.tif 000122
2007253624.tif 000123
2007253624.tif 000124
2007253624.tif 000125
2007253624.tif 000126
2007253624.tif 000127
2007253624.tif 000128
2007253624.tif 000129
2007253624.tif 000130
2007253624.tif 000131
2007253624.tif 000132
2007253624.tif 000133
2007253624.tif 000134
2007253624.tif 000135
2007253624.tif 000136
2007253624.tif 000137
2007253624.tif 000138
2007253624.tif 000139